【手続補正書】
【提出日】平成15年8月27日(2003.8.27)
【手続補正１】
【補正対象書類名】明細書
【補正対象項目名】特許請求の範囲
【補正方法】変更
【補正の内容】
【特許請求の範囲】
【請求項１】
先端側に外歯を有する複数のポールと、内周側に内歯を有する円環状のラチェットと、前記各ポールを前記ラチェットの内歯に対して進退可能に保持するホルダと、前記各ポールを前進方向に押圧して前記ラチェットに噛合させるとともに任意の操作力により動作して前記各ポールに対する押圧力を解除して同各ポールと前記ラチェットの噛合状態を解除するカム体を具備し、前記各ポールと前記ラチェットの噛合時には同ラチェットと前記ホルダの相対回転を規制し、かつ、前記各ポールと前記ラチェットの噛合解除時には同ラチェットと前記ホルダの相対回転を許容するリクライニング装置であり、当該リクライニング装置は、前記ホルダと前記ラチェットの相対回転角度が所定の範囲において少なくとも１個のポールを前記ラチェットから後退動作させるアンロック部材を備え、前記ポールは前記ラチェットからの後退動作により前記カム体を前記操作力が付与された方向に動作すべく同カム体に連結し、前記アンロック部材による１個のポールの前記ラチェットとの噛合を解除する角度範囲は、隣接するポールを前記ラチェットに噛合させる方向へ移動させるべき角度範囲とは平面視で重なる関係に設定されていることを特徴とするリクライニング装置。
【請求項２】
請求項１に記載のリクライニング装置であり、前記ポールと前記ラチェットとの噛合を解除する角度範囲は、３６０度の角度を前記ポールの採用する個数で除した角度以上に設定することが可能に構成されていることを特徴とするリクライニング装置。
【請求項３】
請求項１または２に記載のリクライニング装置であり、前記アンロック部材は、所定のポールに設けた突起部と係合する切欠を有するプレート状部材であって前記ラチェットと回転方向に係合して同方向に一体化されており、前記ポールの前記ラチェットとの噛合が解除される領域で前記ポールの突起と係合して同ポールを前記ラチェットから後退方向へ移動させる段部を備えていることを特徴とするリクライニング装置。
【請求項４】
請求項１〜３のいずれか一項に記載のリクライニング装置であって、前記ポールを前記ラチェットから後退動作させるアンロック部材は、略半円形の扇形状プレートであることを特徴とするリクライニング装置。
【請求項５】
請求項１〜４のいずれか一項に記載のリクライニング装置であり、前記各ポールと前記ラチェットとの噛合および噛合解除するカム体は、所定のポールと突起部を介して一体回転する回転カムと、同回転カムを一体的に回動させる作動プレートとの組立体であることを特徴とするリクライニング装置。
【手続補正２】
【補正対象書類名】明細書
【補正対象項目名】０００８
【補正方法】変更
【補正の内容】
【０００８】
本発明に係るリクライニング装置においては、前記ポールと前記ラチェットとの噛合を解除する角度範囲を、３６０度の角度を前記ポールの採用する個数で除した角度以上に設定することが可能に構成することができる。また、本発明に係るリクライニング装置においては、前記アンロック部材は、所定のポールに設けた突起部と係合する切欠を有するプレート状部材であって前記ラチェットと回転方向に係合して同方向に一体化されており、前記ポールの前記ラチェットとの噛合が解除される領域で前記ポールの突起部と係合して同ポールを前記ラチェットから後退方向へ移動させる段部を備えている構成とすることができる。この場合、前記アンロック部材を、略半円形の扇形状プレートに形成することができる。また、これらのリクライニング装置においては、前記各ポールと前記ラチェットとの噛合および噛合解除するカム体を、所定のポールと突起部を介して一体回転する回転カムと、同回転カムを一体的に回動させる作動プレートとの組立体に構成することができる。
【手続補正３】
【補正対象書類名】明細書
【補正対象項目名】００１０
【補正方法】変更
【補正の内容】
【００１０】
本発明に係るリクライニング装置において、前記ポールと前記ラチェットとの噛合を解除する角度範囲を、３６０度の角度を前記ポールの採用する個数で除した角度以上に設定することが可能に構成すれば、ラチェットのポールを非噛合状態とするフリーゾーン（ラチェットの所定の角度範囲）を大きく設定できる利点がある。
【手続補正４】
【補正対象書類名】明細書
【補正対象項目名】００１１
【補正方法】変更
【補正の内容】
【００１１】
本発明に係るリクライニング装置において、前記アンロック部材を、所定のポールに設けた突起部と係合する切欠を有するプレート状部材であって前記ラチェットと回転方向に係合して同方向に一体化し、前記ポールの前記ラチェットとの噛合が解除される領域で前記ポールの突起部と係合して同ポールを前記ラチェットから後退方向へ移動させる段部を備えている構成とすれば、アンロック部材は小型のプレートでよくて、リクライニング装置の大型化を抑制することができる利点がある。この場合、アンロック部材を半円形の扇形状プレートに形成すれば、所定のポールに設けた一の突起部によってフリーゾーンを設定する際に、不要な部分を削除しているため、リクライニング装置の大型化を一層抑制し得る利点がある。
【手続補正５】
【補正対象書類名】明細書
【補正対象項目名】００１８
【補正方法】変更
【補正の内容】
【００１８】
スライドポール１５は、図２〜図４に示すように、門形形状のポール本体１５ａの頂部（組付けた状態では径外方側）に可動円盤１２のラチェット１２ｃに噛合可能な歯部１５ｂを備えているとともに、ポール本体１５ａの頂部とは反対側（組付けた状態では径内方側）に左右一対の脚部１５ｃ，１５ｄを備えている。また、ポール本体１５ａにおける頂部とは反対側端部の中央部には、組付けた状態において、後述する作動プレート１８側へ突出する半円柱状のカムピン１５ｅが形成されている。脚部１５ｃ，１５ｄは、互いに長さを異にするもので、左側の脚部１５ｃは短い所定長さに形成されているとともに、右側の脚部１５ｄは長い所定長さに形成されている。各脚部１５ｃ，１５ｄの先端面は、内側内方へ延びる傾斜状を呈している。各スライドポール１５においては、スライドポール１５Ａのカムピン１５ｅのみが他のカムピン１５ｅに比較してわずかに長く形成されている。


【手続補正６】
【補正対象書類名】明細書
【補正対象項目名】００２９
【補正方法】変更
【補正の内容】
【００２９】
次ぎに、当該リクライニング装置の作動について、図３〜図８に基づいて説明する。図３および図４は、当該リクライニング装置の固定円盤１１、支持軸１３およびスパイラルスプリング２１を省略した状態の正面図であり、図３は各スライドポール１５が可動円盤１２に設けたラチェット１２ｃに噛合して、図示しないシートバックをシートクッションにロックさせている状態を示し、また、図４は、操作レバー１４の回動操作により、各スライドポール１５をラチェット１２ｃから後退させてラチェット１２ｃとの噛合状態が解除されている状態を示している。


【手続補正７】
【補正対象書類名】明細書
【補正対象項目名】００３２
【補正方法】変更
【補正の内容】
【００３２】
当該リクライニング装置における図３に示す噛合状態では、シートバックがシートクッションに対して最前方での傾動位置（初段ロック位置）にて起立している状態にあり、アンロックプレート１９に唯一連結しているスライドポール１５Ａのカムピン１５ｅはアンロックプレート１９の長孔１９ｃにおける大幅孔部１９ｃ1内にて、小幅孔部１９ｃ2との境界段部に位置している。


【手続補正８】
【補正対象書類名】明細書
【補正対象項目名】００３５
【補正方法】変更
【補正の内容】
【００３５】
当該リクライニング装置において、シートバックをシートクッションに対して後方へ傾動させれば、図３に示す位置にある回動カム１２は図示時計方向に回動し、所定量回動した回動位置にて操作レバー１３の回動操作を解除すれば、支持軸１３および操作アーム１７はスパイラルスプリング２１のバネ力で図示反時計方向へ回動して、回転カム１７を同方向へ回動復帰させ、この回動復帰時には各スライドポール１５をラチェット１２ｃに対して前進させて噛合させる。これにより、可動円盤１２は固定円盤１１にロックされ、シートバックはシートクッションに対して所望の傾斜角度でロックされ、かつ、この傾斜状態を保持される。